(57)【要約】【課題】  ＩＷＢの設置場所まで行くことなく、情報端末にパスコードを入力可能とする。【解決手段】  一実施形態に係る情報端末は、ネットワークに接続された電子情報ボードを検索する検索部と、検索により発見された前記電子情報ボードの中からユーザにより選択された対象電子情報ボードに表示変更要求を送信することにより、パスコードの視認性が高まるように前記パスコードの表示状態を変更させる表示変更部と、前記ユーザにより入力された前記パスコードを含む接続要求を前記対象電子情報ボードに送信する接続部と、を備える。【選択図】  図９
2018046443.tif 000002
【特許請求の範囲】
【請求項１】
ネットワークに接続された電子情報ボードを検索する検索部と、
検索により発見された前記電子情報ボードの中からユーザにより選択された対象電子情報ボードに表示変更要求を送信することにより、パスコードの視認性が高まるように前記パスコードの表示状態を変更させる表示変更部と、
前記ユーザにより入力された前記パスコードを含む接続要求を前記対象電子情報ボードに送信する接続部と、
を備える情報端末。
【請求項２】
前記表示変更部は、前記対象電子情報ボードに、前記パスコードを拡大表示させる
請求項１に記載の情報端末。
【請求項３】
前記表示変更部は、前記対象電子情報ボードに、前記パスコードが表示されていない場合、前記パスコードを通常表示させ、前記パスコードが通常表示されている場合、前記パスコードを拡大表示させる
請求項１又は２に記載の情報端末。
【請求項４】
前記表示変更部は、前記対象電子情報ボードに、前記パスコードを拡大表示させた後、所定時間経過後に前記パスコードを非表示又は通常表示させる
請求項１乃至請求項３のいずれか１項に記載の情報端末。
【請求項５】
前記表示変更部は、前記対象電子情報ボードによる認証が失敗した場合、前記対象電子情報ボードに、前記パスコードの視認性が高まるように前記パスコードの表示状態を変更させる
請求項１乃至請求項４のいずれか１項に記載の情報端末。
【請求項６】
前記接続部は、前記対象電子情報ボードの前記ＩＰアドレスを入力するＩＰアドレス欄と、前記対象電子情報ボードの前記パスコードを入力するパスコード欄と、画面に表示させ、前記ＩＰアドレス欄に、検索により発見された前記電子情報ボードの前記ＩＰアドレスを入力する
請求項１乃至請求項５のいずれか１項に記載の情報端末。
【請求項７】
ネットワークに接続された電子情報ボードを検索する検索工程と、
検索により発見された前記電子情報ボードの中からユーザにより選択された対象電子情報ボードに表示変更要求を送信することにより、パスコードの視認性が高まるように前記パスコードの表示状態を変更させる表示変更工程と、
前記ユーザにより入力された前記パスコードを含む接続要求を前記対象電子情報ボードに送信する接続工程と、
をコンピュータに実行させるためのプログラム。
【請求項８】
情報端末から表示変更要求を受信する通信部と、
パスコードを画面に表示させる表示部と、
を備え、
前記表示部は、前記通信部が前記表示変更要求を受信した場合、前記パスコードの視認性が高まるように前記パスコードの表示状態を変更する
電子情報ボード。
【請求項９】
前記通信部は、前記情報端末から接続要求を受信し、受信した前記接続要求に基づいて前記情報端末の認証処理を実行し、
前記表示部は、前記情報端末の認証が失敗した場合、前記パスコードの視認性が高まるように前記パスコードの表示状態を変更する
請求項８に記載の電子情報ボード。
【発明の詳細な説明】
【技術分野】
【０００１】
本発明は、情報端末、電子情報ボード及びプログラムに関する。
【背景技術】
【０００２】
従来、インタラクティブホワイトボード（以下、「ＩＷＢ」という）と、情報端末と、を備えるＩＷＢシステムが利用されている。ＩＷＢシステムでは、情報端末のユーザは、ＩＷＢに表示されたＩＰアドレス及びパスコードを情報端末に入力することにより、情報端末をＩＷＢに接続する。従来のＩＷＢシステムでは、ＩＰアドレスが見えにくかったり、ＩＰアドレスが非表示であった場合、ユーザは、ＩＷＢの設置場所まで行き、ＩＰアドレスを目視で確認したり、ＩＰアドレスを表示状態にしたりしなければならず、不便であった。
【０００３】
そこで、近年、情報端末によりＩＷＢのディスカバリを行い、得られたＩＷＢの一覧から、ユーザがＩＷＢを選択し、選択されたＩＷＢのＩＰアドレスを自動的に情報端末に入力する、情報端末の接続方法が提案されている。この接続方法によれば、ＩＰアドレスの入力を省略できるため、ユーザは情報端末をＩＷＢに簡便に接続することができる。
【発明の概要】
【発明が解決しようとする課題】
【０００４】
しかしながら、上記従来の接続方法では、セキュリティの低下を避けるため、パスコードの入力は省略できない、という問題があった。この結果、ＩＷＢに表示されたパスコードが見えにくかったり、パスコードが非表示であった場合、ユーザは、ＩＷＢの設置場所まで行き、パスコードを目視で確認したり、パスコードを表示状態にしたりしなければならず、不便であった。
【０００５】
本発明は、上記の課題に鑑みてなされたものであり、ＩＷＢの設置場所まで行くことなく、情報端末にパスコードを入力可能とすることを目的とする。
【課題を解決するための手段】
【０００６】
一実施形態に係る情報端末は、ネットワークに接続された電子情報ボードを検索する検索部と、検索により発見された前記電子情報ボードの中からユーザにより選択された対象電子情報ボードに表示変更要求を送信することにより、パスコードの視認性が高まるように前記パスコードの表示状態を変更させる表示変更部と、前記ユーザにより入力された前記パスコードを含む接続要求を前記対象電子情報ボードに送信する接続部と、
を備える。
【発明の効果】
【０００７】
本発明の各実施形態によれば、ＩＷＢの設置場所まで行くことなく、情報端末にパスコードを入力することができる。
【図面の簡単な説明】
【０００８】
【図１】第１実施形態に係るＩＷＢシステムの構成の一例を示す図。
【図２】ＩＷＢのハードウェア構成の一例を示す図。
【図３】情報端末のハードウェア構成の一例を示す図。
【図４】ＩＷＢの機能構成の一例を示す図。
【図５】ＩＷＢ１の画面に表示された画像の一例を示す図。
【図６】情報端末の機能構成の一例を示す図。
【図７】情報端末に表示される接続ＵＩの一例を示す図。
【図８】ＩＷＢシステムの構成の一例を示す図。
【図９】第１実施形態に係るＩＷＢシステムの動作の一例を示すシーケンス図。
【図１０】情報端末に表示される検索結果ＵＩの一例を示す図。
【図１１】情報端末に表示される接続ＵＩの一例を示す図。
【図１２】情報端末に表示される接続ＵＩの一例を示す図。
【図１３】パスコードの表示状態の一例を示す図。
【図１４】第２実施形態に係るＩＷＢシステムの動作の一例を示すシーケンス図。
【発明を実施するための形態】
【０００９】
以下、本発明の各実施形態について、添付の図面を参照しながら説明する。なお、各実施形態に係る明細書及び図面の記載に関して、実質的に同一の機能構成を有する構成要素については、同一の符号を付することにより重畳した説明を省略する。
【００１０】
（第１実施形態）
第１実施形態に係るＩＷＢシステムについて、図１〜図１３を参照して説明する。まず、本実施形態に係るＩＷＢシステムの構成について説明する。本実施形態に係るＩＷＢシステムは、ネットワークを介して接続された、１つ又は複数のＩＷＢと、１つ又は複数の情報端末と、を備える。
【００１１】
図１は、本実施形態に係るＩＷＢシステムの構成の一例を示す図である。図１のＩＷＢシステムは、ネットワークＮを介して接続された、ＩＷＢ１ａ，１ｂと、ＰＣ（Personal Computer）２ａ，２ｂと、タブレット端末２ｃ，２ｄと、を備える。図１の例では、ネットワークＮは、有線の社内ＬＡＮ（Local Area Network）を想定しているが、これに限られない。
【００１２】
ＩＷＢ１ａ，１ｂは、電子情報ボードの一例であり、自装置が表示している画像を、自装置に対して接続した各情報端末に配信する。図１の例では、ＩＷＢシステムは、２つのＩＷＢ１ａ，１ｂを備えるが、１つ又は３つ以上のＩＷＢを備えてもよい。以下、ＩＷＢシステムが備える各ＩＷＢを区別しない場合、単にＩＷＢ１という。ＩＷＢ１の構成について、詳しくは後述する。
【００１３】
ＰＣ２ａ，２ｂは、ＩＷＢ１に接続する情報端末の一例である。ＰＣ２ａ，２ｂは、ＩＷＢ１に接続し、接続したＩＷＢ１から受信した画像を表示する。図１の例では、ＩＷＢシステムは、２つのＰＣ２ａ，２ｂを備えるが、１つ又は３つ以上のＰＣを備えてもよい。また、図１の例では、ＰＣ２ａ，２ｂは、ネットワークＮに有線で接続されているが、無線で接続されてもよい。
【００１４】
タブレット端末２ｃ，２ｄは、ＩＷＢ１に接続する情報端末の一例である。タブレット端末２ｃ，２ｄは、ＩＷＢ１に接続し、接続したＩＷＢ１から受信した画像を表示する。図１の例では、ＩＷＢシステムは、２つのタブレット端末２ｃ，２ｄを備えるが、１つ又は３つ以上のタブレット端末を備えてもよい。また、図１の例では、タブレット端末２ｃ，２ｄは、ＷｉＦｉ（登録商標）などの無線通信規格に従った無線ルータ３を介して、ネットワークＮに無線で接続されているが、有線で接続されてもよい。
【００１５】
以下、ＩＷＢシステムが備える情報端末を区別しない場合、単に情報端末２という。情報端末２は、ＰＣやタブレット端末に限られず、スマートフォンや他のＩＷＢであってもよい。情報端末２の構成について、詳しくは後述する。
【００１６】
次に、ＩＷＢ１及び情報端末２のハードウェア構成について説明する。
【００１７】
図２は、ＩＷＢ１のハードウェア構成の一例を示す図である。図２のＩＷＢ１は、ＣＰＵ（Central Processing Unit）１０１と、ＲＯＭ（Read Only Memory）１０２と、ＲＡＭ（Random Access Memory）１０３と、フラッシュメモリ１０４と、を備える。また、ＩＷＢ１は、入力装置１０５と、表示装置１０６と、通信インタフェース１０７と、バス１０８と、を備える。
【００１８】
ＣＰＵ１０１は、プログラムを実行することにより、ＩＷＢ１の全体を制御し、ＩＷＢ１の機能を実現する。ＲＯＭ１０２は、ＣＰＵ１０１が実行するプログラムを含む各種データを記憶する。ＲＡＭ１０３は、ＣＰＵ１０１に作業領域を提供する。フラッシュメモリ１０４は、ＣＰＵ１０１が実行するプログラムを含む各種データを記憶する。
【００１９】
入力装置１０５は、ＩＷＢ１のユーザからの操作を受け付け、受け付けた操作に応じた情報をＩＷＢ１に入力する。入力装置１０５は、例えば、タッチパネルやハードキーなどである。タッチパネルは、表示装置１０６上に設けられ、ユーザの指やスタイラスが接触した位置座標をＩＷＢ１に入力する。
【００２０】
表示装置１０６は、例えば、液晶ディスプレイや有機ＥＬディスプレイなどであり、画面に画像を表示する。ＩＷＢ１は、表示装置１０６に表示された画像を自装置に接続している各情報端末２に配信する。
【００２１】
通信インタフェース１０７は、ＩＷＢ１をネットワークＮに接続するためのインタフェースである。バス１０８は、ＣＰＵ１０１、ＲＯＭ１０２、ＲＡＭ１０３、フラッシュメモリ１０４、入力装置１０５、表示装置１０６及び通信インタフェース１０７を接続する。
【００２２】
図３は、情報端末２のハードウェア構成の一例を示す図である。図３の情報端末２は、ＰＣを想定しており、ＣＰＵ２０１と、ＲＯＭ２０２と、ＲＡＭ２０３と、ＨＤＤ（Hard Disk Drive）２０４と、を備える。また、情報端末２は、入力装置２０５と、表示装置２０６と、通信インタフェース２０７と、バス２０８と、を備える。
【００２３】
ＣＰＵ２０１は、プログラムを実行することにより、情報端末２の全体を制御し、情報端末２の機能を実現する。ＲＯＭ２０２は、ＣＰＵ２０１が実行するプログラムを含む各種データを記憶する。ＲＡＭ２０３は、ＣＰＵ２０１に作業領域を提供する。ＨＤＤ２０４は、ＣＰＵ２０１が実行するプログラムを含む各種データを記憶する。
【００２４】
入力装置２０５は、情報端末２のユーザからの操作を受け付け、受け付けた操作に応じた情報を情報端末２に入力する。入力装置２０５は、例えば、タッチパネル、キーボード、マウス、ハードキーなどである。
【００２５】
表示装置２０６は、例えば、液晶ディスプレイや有機ＥＬディスプレイなどであり、画面に画像を表示する。情報端末２は、ＩＷＢ１が配信した画像を表示装置２０６の画面に表示する。これにより、ＩＷＢ１の画面に表示された画像が、情報端末２の画面上に共有される。
【００２６】
通信インタフェース２０７は、情報端末２をネットワークＮに接続するためのインタフェースである。バス２０８は、ＣＰＵ２０１、ＲＯＭ２０２、ＲＡＭ２０３、ＨＤＤ２０４、入力装置２０５、表示装置２０６及び通信インタフェース２０７を接続する。
【００２７】
次に、ＩＷＢ１及び情報端末２の機能構成について説明する。
【００２８】
図４は、ＩＷＢ１の機能構成の一例を示す図である。図４のＩＷＢ１は、通信部１１と、表示部１２と、を備える。これらの各機能構成は、ＣＰＵ１０１がプログラムを実行することにより実現される。
【００２９】
通信部１１は、ネットワークＮを介して、情報端末２などの外部装置と通信し、各種の処理を実行する。具体的には、通信部１１は、ディスカバリ処理、接続処理、仲介処理、配信処理などを実行する。ディスカバリ処理は、情報端末２が実行するディスカバリに応答する処理である。接続処理は、情報端末２からの接続要求に応答して、情報端末２と接続する処理である。仲介処理は、表示部１２と外部装置との間の情報のやり取りを仲介する処理である。配信処理は、自装置の画面に表示された画像を、自装置に接続している情報端末２に配信する処理である。通信部１１は、画像の代わりに、画像から生成した映像を配信してもよい。
【００３０】
表示部１２は、ＩＷＢ１の主要な機能を実現する各種の処理を実行する。具体的には、表示部１２は、画像生成処理、画像表示処理及びＵＩ表示処理などを実行する。画像生成処理は、入力装置１０５や外部装置からの入力に基づいて、表示装置１０６の画面に表示させる画像を生成する処理である。画像生成処理には、ストロークの描画、削除及び編集や、ページの追加及び削除などが含まれる。画像表示処理は、画像生成処理により生成された画像を表示装置１０６の画面に表示させる処理である。
【００３１】
ＵＩ表示処理は、表示装置１０６の画面にＵＩ（User Interface）を表示させる処理である。ＵＩには、ＩＷＢ１の機能のメニューを表示するＵＩや、ＩＷＢ１のＩＰアドレス及びパスコードを表示するＵＩが含まれる。パスコードは、情報端末２がＩＷＢ１に接続する際に入力を要求される情報である。入力されたパスコードが誤っている場合、ＩＷＢ１は、情報端末２の接続を拒否する。パスコードは、ＩＷＢ１の起動時などの所定のタイミングで、表示部１２により変更される。このように、パスコードを利用することにより、ＩＷＢ１に対する情報端末２の不正な接続を抑制し、ＩＷＢシステムのセキュリティを向上させることができる。
【００３２】
図５は、ＩＷＢ１の画面に表示された画像の一例を示す図である。図５の画像には、画像生成処理により生成された主たる画像Ｉｍと、各種のメニューを表示するＵＩ１〜３と、が表示されている。また、画像Ｉｍに重畳して、ＩＷＢ１のＩＰアドレス（192.168.10.10）及びパスコード（5678）が表示されている。情報端末２のユーザは、このＩＰアドレス及びパスコードを情報端末２に入力することにより、情報端末２をＩＷＢ１に接続することができる。
【００３３】
なお、本実施形態では、ＩＷＢ１のＩＰアドレスは情報端末２に自動で入力される。したがって、ＩＷＢ１の画面には、ＩＷＢ１のＩＰアドレスが表示されてなくてもよい。また、ＩＷＢ１の画面には、パスコードが常に表示されていてもよいし、一時的に表示されてもよい。
【００３４】
図６は、情報端末２の機能構成の一例を示す図である。図６の情報端末２は、検索部２１と、表示変更部２２と、接続部２３と、表示部２４と、を備える。これらの各機能構成は、ＣＰＵ２０１がプログラム（ＩＷＢクライアント）を実行することにより実現される。
【００３５】
検索部２１は、ネットワークＮに接続されたＩＷＢ１を検索し、検索により発見された各ＩＷＢ１のＩＷＢ情報を取得し、検索結果ＵＩを画面に表示させる。検索結果ＵＩは、検索結果として、検索により発見された各ＩＷＢ１のＩＷＢ情報の一覧を表示するためのＵＩである。ＩＷＢ情報には、ＩＷＢ１のＩＰアドレス（識別情報）と、ＩＷＢ１に予め設定された名称と、が含まれる。ＩＷＢ１の名称は、ユーザがＩＷＢ１を識別するためのものであり、任意に設定可能である。ＩＷＢ１の名称は、ＩＷＢ１自体の名称であってもよいし、ＩＷＢ１の設置場所を示す名称であってもよい。ＩＷＢ１の検索方法及び検索結果ＵＩについて、詳しくは後述する。
【００３６】
表示変更部２２は、検索結果ＵＩにＩＷＢ情報を表示されたＩＷＢ１の中からユーザにより選択されたＩＷＢ（以下、「対象ＩＷＢ」という）１に、パスコードの視認性が高まるように、パスコードの表示状態を変更させる。具体的には、表示変更部２２は、パスコードの表示状態の変更を要求する表示変更要求を、対象ＩＷＢに送信する。表示状態の変更方法について、詳しくは後述する。
【００３７】
接続部２３は、ＩＷＢ１のＩＰアドレス及びパスコードを入力するための接続ＵＩを画面に表示させる。接続部２３は、ユーザにより対象ＩＷＢが選択されると、選択された対象ＩＷＢのＩＰアドレスを自動的に接続ＵＩに入力する。また、接続部２３は、ユーザにより対象ＩＷＢのパスコードを入力され、対象ＩＷＢへの接続を指示されると、対象ＩＷＢと情報端末２との接続処理を実行する。具体的には、接続部２３は、対象ＩＷＢのＩＰアドレス及びパスコードを含む接続要求を、対象ＩＷＢに送信する。
【００３８】
図７は、接続ＵＩの一例を示す図である。図７の接続ＵＩは、対象ＩＷＢのＩＰアドレスを入力するテキストボックスであるＩＰアドレス欄と、対象ＩＷＢのパスコードを入力するテキストボックスであるパスコード欄と、を備える。また、図７の接続ＵＩは、検索部２１にＩＷＢ１の検索処理を実行させる検索ボタンと、接続部２３に接続処理を実行させる接続ボタンと、を備える。接続部２３は、テキストボックスに対象ＩＷＢのＩＰアドレス及びパスコードが入力された状態で接続ボタンを押下されると、対象ＩＷＢへの接続処理を実行する。
【００３９】
表示部２４は、情報端末２が接続した対象ＩＷＢから受信した画像を、表示装置２０６の画面に表示させる。これにより、情報端末２の画面に、ＩＷＢ１の画面に表示された画像と同一の画像が表示される。
【００４０】
次に、本実施形態に係るＩＷＢシステムの動作について説明する。
【００４１】
図８は、ＩＷＢシステムの構成の一例を示す図である。以下では、図８に示すように、ＩＷＢシステムには、会議室１に設置されたＩＷＢ１ａと、会議室２に設置されたＩＷＢ１ｂと、含まれるものとする。ＩＷＢ１ａは、ＩＰアドレス（IP Address）が「192.168.10.10」であり、名称（Name）が「Meeting Room1（会議室１）」である。ＩＷＢ１ｂは、ＩＰアドレスが「192.168.10.11」であり、名称が「Meeting Room2（会議室２）」である。
【００４２】
また、情報端末２のユーザは、会議室１で行われる会議等に参加し、情報端末２をＩＷＢ１ａに接続するものとする。このように、本実施形態では、情報端末２のユーザが、画面を視認可能な範囲（例えば、同一の室内）に設置されたＩＷＢ１に、情報端末２を接続することを想定している。
【００４３】
図９は、本実施形態に係るＩＷＢシステムの動作の一例を示すシーケンス図である。図９のシーケンスの開始時点では、情報端末２はＩＷＢ１ａ，１ｂには接続されていないものとする。
【００４４】
ユーザがＩＷＢクライアントを起動すると、上述の情報端末２の各機能構成が動作を開始し、接続部２３が、表示装置２０６の画面に接続ＵＩを表示させる（ステップＳ１０１）。ユーザは、ＩＷＢ１ａの画面に表示されたＩＰアドレス及びパスコードを視認可能な場合、ＩＷＢ１ａのＩＰアドレス及びパスコードを接続ＵＩのテキストボックスに手入力してもよい。この場合、処理はステップＳ１１４に進む。これに対して、ユーザは、情報端末２の機能により、ＩＷＢ１ａのＩＰアドレスを接続ＵＩのテキストボックスに自動入力させてもよい。以下では、ＩＰアドレスを自動入力する場合の処理について説明する。
【００４５】
この場合、ユーザは、入力装置２０５を操作して、接続ＵＩの検索ボタンを押下することにより、検索部２１に、ネットワークＮに接続されたＩＷＢ１の検索を指示する（ステップＳ１０２）。
【００４６】
検索部２１は、検索を指示されると、ネットワークＮに対してディスカバリ処理を実行する。ここでいうディスカバリ処理とは、ネットワークＮに接続された機器を検出する処理のことである。ディスカバリ処理を実行するネットワークＮの範囲は、ＩＰアドレスの範囲として設定可能であり、ユーザにより設定されてもよいし、検索部２１に予め設定されていてもよい。
【００４７】
具体的には、検索部２１は、ネットワークＮの所定の範囲に接続された機器（ＩＷＢ１ａ，１ｂを含む）に対して、ディスカバリ要求を送信する（ステップＳ１０３）。このディスカバリ要求を受信した機器（ＩＷＢ１ａ，１ｂを含む）は、ディスカバリ応答を情報端末２に送信する（ステップＳ１０４）。ディスカバリ応答には、機器のＩＰアドレスと、機器の種類を示す情報と、が含まれる。情報端末２の検索部２１は、各機器からのディスカバリ応答を受信する。
【００４８】
検索部２１は、以上のディスカバリ処理により得られた各機器の種別を示す情報に基づいて、ディスカバリ応答を送信した機器の中からＩＷＢ１を検索する。これにより、ＩＷＢ１ａ，１ｂが発見される。検索部２１は、こうして発見したＩＷＢ１ａ，１ｂに、ＩＷＢ情報を取得するための取得要求を送信する（ステップＳ１０５）。
【００４９】
ＩＷＢ１ａ，１ｂの通信部１１は、この取得要求を受信すると、それぞれ自装置のＩＷＢ情報を情報端末２に送信する（ステップＳ１０６）。上述の通り、ＩＷＢ情報には、ＩＷＢ１のＩＰアドレス及び名称が含まれる。
【００５０】
情報端末２の検索部２１は、ＩＷＢ１ａ，１ｂからＩＷＢ情報を受信すると、検索結果ＵＩを表示装置２０６の画面に表示させる。検索結果ＵＩには、検索結果として、ＩＷＢ１ａ，１ｂのＩＰアドレス及び名称が表示される。
【００５１】
図１０は、検索結果ＵＩの一例を示す図である。図１０の検索結果ＵＩは、検索結果として、ＩＷＢ１ａ，１ｂのＩＰアドレス及び名称が表示している。上述の通り、ＩＷＢ１ａのＩＰアドレスは「192.168.10.10」であり、名称は「Meeting Room1」である。ＩＷＢ１ｂのＩＰアドレスは「192.168.10.11」であり、名称は「Meeting Room2」である。また、検索結果ＵＩは、選択を確定するためのＯＫボタンを備える。
【００５２】
なお、検索部２１は、全ての情報端末２のＩＷＢ情報を受信した後、検索結果ＵＩを表示させてもよいし、ディスカバリ処理の開始時点で検索結果ＵＩを表示させてもよい。この場合、検索部２１は、新たなＩＷＢ１からＩＷＢ情報を受信するたびに、受信したＩＷＢ情報に含まれるＩＰアドレス及び名称を、検索結果として追加すればよい。
【００５３】
検索結果ＵＩが表示されると、ユーザは、入力装置２０５を操作して、検索部２１により発見されたＩＷＢ１の中から対象ＩＷＢを選択し、ＯＫボタンを押下する（ステップＳ１０８）。ユーザは、各ＩＷＢ１の名称に基づいて、ＩＷＢ１を識別子、対象ＩＷＢを選択すればよい。ここでは、上述の通り、ＩＷＢ１ａ，１ｂの中からＩＷＢ１ａが対象ＩＷＢとして選択される。以下、ＩＷＢ１ａを、対象ＩＷＢ１ａという。
【００５４】
対象ＩＷＢ１ａが選択されると、表示変更部２２は、対象ＩＷＢ１ａに表示変更要求を送信する（ステップＳ１０９）。対象ＩＷＢ１ａは、この表示変更要求を受信すると、パスコードの視認性が高まるように、パスコードの表示状態を変更する（ステップＳ１１０）。表示状態の変更方法について、詳しくは後述する。
【００５５】
また、対象ＩＷＢ１ａが選択されると、接続部２３は、接続ＵＩを表示し、表示した接続ＵＩのＩＰアドレス欄に、対象ＩＷＢ１ａのＩＰアドレスを入力する（ステップＳ１１１）。
【００５６】
図１１は、ステップＳ１１１において表示される接続ＵＩの一例を示す図である。図１１に示すように、接続ＵＩのＩＰアドレス欄には、対象ＩＷＢ１ａのＩＰアドレスである「192.168.10.10」が入力されている。また、パスコード欄は空欄である。このように、本実施形態によれば、ユーザは、検索処理により発見されたＩＷＢ１の中から対象ＩＷＢを選択することにより、対象ＩＷＢのＩＰアドレスを接続ＵＩに自動的に入力することができる。
【００５７】
接続ＵＩが表示され、パスコードの表示状態が変更されると、ユーザは、対象ＩＷＢ１ａの表示装置１０６の画面に表示されたパスコードを目視で確認する。対象ＩＷＢ１ａのパスコードは、視認性が高まるように表示されているため、ユーザは、パスコードを容易に確認することができる。パスコードを確認すると、ユーザは、確認したパスコードを、入力装置２０５を操作して、接続ＵＩのパスコード欄に手入力する（ステップＳ１１２）。
【００５８】
図１２は、ステップＳ１１２において表示される接続ＵＩの一例を示す図である。図１２に示すように、接続ＵＩのパスコード欄には、対象ＩＷＢ１ａのパスコードである「5678」が入力されている。
【００５９】
このように、本実施形態では、対象ＩＷＢのパスコードは、ユーザにより手入力され、自動入力はされない。これは、パスコードを自動入力可能とすると、どの情報端末２であっても対象ＩＷＢに接続可能となり、ＩＷＢシステムのセキュリティが低下するためである。本実施形態では、ユーザがパスコードを目視で確認する必要があるため、パスコードを視認可能な範囲（例えば、同一の室内）にいないユーザの情報端末２は、対象ＩＷＢに接続することができない。これにより、ＩＷＢシステムのセキュリティの低下を抑制することができる。
【００６０】
ユーザは、対象ＩＷＢ１ａのパスコードを入力した後、入力装置２０５を操作して、接続ＵＩの接続ボタンを押下し、接続部２３に、情報端末２の対象ＩＷＢ１ａへの接続を指示する（ステップＳ１１３）。
【００６１】
接続部２３は、接続を指示されると、接続要求を対象ＩＷＢ１ａに送信する（ステップＳ１１４）上述の通り、接続要求には、接続ＵＩに入力された対象ＩＷＢ１ａのＩＰアドレス及びパスコードが含まれる。
【００６２】
対象ＩＷＢ１ａの通信部１１は、この接続要求を受信すると、受信した接続要求に含まれる情報に基づいて、認証処理を実行する（ステップＳ１１５）。認証処理には、接続要求に含まれるパスコードが正しいか、すなわち、自装置のパスコードと一致するか、の判定が含まれる。パスコードが誤っている場合、認証は失敗し、通信部１１は、認証が失敗したことを通知する認証失敗通知を情報端末２に送信し、情報端末２からの接続を拒否する。これに対して、パスコードが正しく、かつ、他の認証条件も満たしている場合、対象ＩＷＢ１ａは、情報端末２に接続応答を送信する（ステップＳ１１６）。これにより、情報端末２と対象ＩＷＢ１ａとの間の接続が確立される（ステップＳ１１７）。
【００６３】
情報端末２と対象ＩＷＢ１ａとの間の接続が確立されると、対象ＩＷＢ１ａは、情報端末２への画像の配信を開始する（ステップＳ１１８）。以降、情報端末２の表示部２４は、対象ＩＷＢ１ａから受信した画像を、表示装置２０６の画面に表示させる（ステップＳ１１０）。これにより、対象ＩＷＢ１ａの画面に表示された画像が、情報端末２の画面上に共有される。
【００６４】
次に、パスコードの表示状態の変更方法について説明する。上述の通り、ＩＷＢ１は、情報端末２から表示変更要求を受信すると、パスコードの視認性が高まるように、パスコードの表示状態を変更する。
【００６５】
表示状態の第１の変更方法として、表示変更要求の受信時におけるパスコードの表示状態にかかわらず、パスコードを拡大表示したり、アニメーション表示したりする方法が挙げられる。
【００６６】
ここで、図１３は、パスコードの表示状態の一例を示す図である。図１３（Ａ）は、パスコードが表示されていない状態（非表示状態）を示し、図１３（Ｂ）は、パスコードが通常表示された状態（通常表示状態）を示し、図１３（Ｃ）は、パスコードが拡大表示された状態（拡大表示状態）を示している。
【００６７】
第１の変更方法によれば、ＩＷＢ１は、表示変更要求の受信時において、パスコードが表示されていない場合であっても、通常表示されている場合であっても、パスコードを拡大表示する。これにより、パスコードの視認性を高めることができる。
【００６８】
また、表示状態の第２の変更方法として、表示変更要求の受信時におけるパスコードの表示状態に応じて、変更後の表示状態を選択する方法が挙げられる。第２の変更方法によれば、ＩＷＢ１は、表示変更要求の受信時において、パスコードが表示されていない場合、パスコードを通常表示させる。一方、ＩＷＢ１は、表示変更要求の受信時において、パスコードが通常表示されている場合、パスコードを拡大表示させる。
【００６９】
パスコードが拡大表示されると、パスコードが重畳する画像の範囲が広がり、ＩＷＢ１に表示された画像（ストロークなど）の視認性が低下するおそれがある。第２の変更方法では、パスコードの余計な拡大表示を抑制できるため、上記のような、ＩＷＢ１に表示された画像の視認性の低下を抑制することができる。
【００７０】
なお、ＩＷＢ１は、拡大表示されたパスコードの色を薄くするのが好ましい。また、ＩＷＢ１は、パスコードを拡大表示してから所定時間経過後、又は、情報端末２との間の接続確立後に、パスコードを通常表示又は非表示にするのが好ましい。これにより、パスコードの表示による、ＩＷＢ１に表示された画像（ストロークなど）の視認性の低下を抑制することができる。
【００７１】
また、ＩＷＢ１は、情報端末２との間の接続確立後、パスコードを非表示にするのが好ましい。これにより、パスコードの拡大表示による、ＩＷＢ１に表示された画像の視認性の低下を抑制することができる。
【００７２】
以上説明した通り、本実施形態によれば、ユーザは、情報端末２にパスコードを入力する際に、パスコードの視認性が高まるように、パスコードの表示状態を変更させることができる。これにより、ユーザは、対象ＩＷＢ１の画面に表示されたパスコードを容易に視認できるため、対象ＩＷＢ１の設置場所まで行くことなく、情報端末２にパスコードを入力することができる。
【００７３】
（第２実施形態）
第２実施形態に係るＩＷＢシステムについて、図１４を参照して説明する。本実施形態では、認証失敗時にパスコードの表示状態が変更されるＩＷＢシステムについて説明する。なお、本実施形態において、ＩＷＢシステム、ＩＷＢ１及び情報端末２の構成は、第１実施形態と同様である。
【００７４】
図１４は、本実施形態に係るＩＷＢシステムの動作の一例を示すシーケンス図である。図１４のステップＳ１０１〜Ｓ１１５は、図９と同様である。ただし、本実施形態では、ステップＳ１１２において、パスコードが誤入力されている。このため、ステップＳ１１５において、情報端末２の認証は失敗している（ステップＳ１１５）。認証が失敗すると、上述の通り、対象ＩＷＢ１ａの通信部１１から情報端末２に、認証失敗通知が送信される（ステップＳ１２０）。
【００７５】
本実施形態では、第１実施形態と同様に、ステップＳ１１０において、パスコードは、視認性が高まるように、表示状態を変更されている。しかしながら、表示状態を変更後のパスコードの視認性が十分に高くないために、図１４の例のように、ユーザがパスコードを誤入力することは考えられる。
【００７６】
そこで、本実施形態において、対象ＩＷＢ１ａは、パスコードの誤入力により情報端末２の認証に失敗すると、パスコードの視認性がさらに高まるように、パスコードの表示状態を再び変更する（ステップＳ１２１）。すなわち、本実施形態では、パスコードの視認性が段階的に高まるように、パスコードの表示状態が変更される。
【００７７】
具体的には、対象ＩＷＢ１ａは、パスコードが通常表示されている場合、パスコードを拡大表示させる。また、対象ＩＷＢ１ａは、パスコードが拡大表示されている場合、パスコードをさらに拡大表示させる。これにより、対象ＩＷＢ１ａは、パスコードの視認性を、認証失敗以前より高めることができる。
【００７８】
パスコードの表示状態の変更後、ユーザは、パスコードを接続ＵＩのパスコード欄に改めて手入力し（ステップＳ１１２）、情報端末２の対象ＩＷＢ１ａへの接続を指示し（ステップＳ１１３）、対象ＩＷＢ１ａに接続要求を送信する（ステップＳ１１４）
【００７９】
ここで、パスコードが正しく入力された場合、第１実施形態で説明した通り、情報端末２の認証が成功し、情報端末２と対象ＩＷＢ１ａとの間の接続が確立される。（ステップＳ１１７）。一方、再びパスコードが誤入力された場合、情報端末２の認証が失敗し、対象ＩＷＢ１ａから情報端末２に認証失敗通知が送信される（ステップＳ１２０）。その後、対象ＩＷＢ１ａは、パスコードの表示状態を、パスコードの視認性がさらに高まるように変更してもよいし、パスコードの表示状態を維持してもよい。
【００８０】
以上説明した通り、本実施形態によれば、パスコードが誤入力された場合に、パスコードの視認性がさらに高まるように、パスコードの表示状態を変更することができる。これにより、ユーザは、対象ＩＷＢ１の画面に表示されたパスコードをさらに容易に視認できるため、対象ＩＷＢ１の設置場所まで行くことなく、情報端末２にパスコードを入力することができる。
【００８１】
なお、以上では、パスコードが誤入力された場合に、対象ＩＷＢ１が自動的にパスコードの表示状態を変更する場合について説明した。しかしながら、本実施形態において、認証失敗通知を受信した情報端末２が、対象ＩＷＢ１に対して、表示変更要求を送信することにより、パスコードの表示状態を変更させることも可能である。
【００８２】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００８３】
１：ＩＷＢ
２：情報端末
３：無線ルータ
１１：通信部
１２：表示部
２１：検索部
２２：表示変更部
２３：接続部
２４：表示部
Ｎ：ネットワーク
【先行技術文献】
【特許文献】
【００８４】
【特許文献１】特開２０１２−１７５６１４号公報
【図１】
2018046443.tif 000003
【図２】
2018046443.tif 000004
【図３】
2018046443.tif 000005
【図４】
2018046443.tif 000006
【図５】
2018046443.tif 000007
【図６】
2018046443.tif 000008
【図７】
2018046443.tif 000009
【図８】
2018046443.tif 000010
【図９】
2018046443.tif 000011
【図１０】
2018046443.tif 000012
【図１１】
2018046443.tif 000013
【図１２】
2018046443.tif 000014
【図１３】
2018046443.tif 000015
【図１４】
2018046443.tif 000016